(57)【要約】【課題】  トグル式ファスナーによって締め付けられるべき可動物体と固定物体との問の緩みを防止する部材によって固定物体の物品の搬出入に支障がないようにすること。【解決手段】  トグル式ファスナーの掛け止めアーム４０の掛け止め端側に緩み防止用の押圧部材７２を枢支し、掛け止めアーム４０の掛け止めピン４８が被掛け止め部材５０の鉤部５４に引っ掛けられて締め付け時に引っ張られると、押圧部材７２は、掛け止めピン４８の鉤部５４とは反対側に相対的に押されて枢動するため、可動物体を固定物体に押し付けるように着座する。【選択図】図１１
2014046064.tif 000002
【特許請求の範囲】
【請求項１】
相互に枢動自在に結合すべき固定物体と可動物体とのうち、可動物体に固定して取り付けられるべき固定台座と、前記固定台座に枢支されたトグルレバーと、前記トグルレバーに枢支された掛け止めアームと、前記固定物体に固定されるべきものであって前記可動物体と固定物体とを締め付ける際に前記掛け止めアームが掛け止められるべき被掛け止め部材と、前記可動物体と固定物体の締め付け状態で前記可動物体を安定して固定するように可動物体の緩みを防止する緩み防止手段とを備えたトグル式ファスナーにおいて、前記緩み防止手段は、前記掛け止めアームに取り付けられた押圧部材から成り、前記押圧部材は、前記可動物体と固定物体の締め付け状態で前記可動物体に着座するようになっていることを特徴とするトグル式ファスナー。
【請求項２】
請求項１に記載のトグル式ファスナーであって、前記押圧部材は、前記掛け止めアームに枢支され、前記被掛け止め部材に掛け止めすべき掛け止め部を有し、前記掛け止め部が前記被掛け止め部材に引っ掛けられた前記可動物体と固定物体の締め付け状態で前記可動物体に着座するようになっていることを特徴とするトグル式ファスナー。
【請求項３】
請求項２に記載のトグル式ファスナーであって、前記押圧部材は、前記掛け止めアームの天板に向けてばね付勢され、前記掛け止め部が前記被掛け止め部材に引っ掛けられた前記可動物体と固定物体の締め付け状態で前記ばね付勢に抗して前記可動物体に着座するようになっていることを特徴とするトグル式ファスナー。
【発明の詳細な説明】
【技術分野】
【０００１】
本発明は、蓋と筐体の如き相互に枢動自在に結合された可動物体と固定物体との２つの物体の閉じ状態を固定するトグル式ファスナーに関し、特に可動物体を固定物体に固定するように締め付けている状態で可動物体と固定物体との間の緩みを防止する機能を備えたトグル式ファスナーの改良に関するものである。
【背景技術】
【０００２】
この種のファスナーの一例が特許文献１に開示されており、この特許文献に示されたトグル式ファスナー１は、可動物体に固定して取り付けられる固定台座（固定基板）１０に枢支されたトグルレバー（可動本体）２０と、このトグルレバー２０に枢支された掛け止めアーム（引っ掛け枠）２７と、固定物体に固定され可動物体と固定物体とを締め付ける際に掛け止めアーム２０が掛け止められるべき被掛け止め部材（受け具）３０とから成っている。
【０００３】
ファスナー１が両物体を締め付ける際には、可動物体を固定物体に対して閉じた状態で可動物体側の掛け止めアーム２７の掛け止め端を固定物体側の被掛け止め部材３０に引っ掛けた後、掛け止めアーム２７を被掛け止め部材３０に対して掛け止め方向に引っ張るようにトグルレバー２０と掛け止めアーム２７とがほぼ一直線となるまでトグルレバー２０と掛け止めアーム２７とを枢動してトグルレバー２０を固定台座１０に折り畳む。トグルレバー２０が固定台座１０に完全に折り畳まれると、掛け止めアーム２７が持ち上がることはなく、ファスナーは、可動物体を固定物体に締め付ける。
【０００４】
このファスナーは、このようにして可動物体を固定物体に締め付けるが、その際、可動物体が固定物体に対する緩みで不安定な状態となるのを防止するために、被掛け止め部材３０は、固定物体上に固定されるべき取付け部材３１に枢支されていてファスナー１を締め付ける際に、掛け止めアーム２７がトグルレバー２０によって引っ張られると、被掛け止め部材３０が、可動物体の上に着座するようにしている。従って、被掛け止め部材３０は、掛け止めアーム２７を掛け止める機能と可動物体を固定物体に対して押し付けて安定した状態にするように可動物体の緩みを防止する機能とを備えている。
【０００５】
しかし、このような構造では、被掛け止め部材は、可動物体（蓋）を開いた状態で固定物体（筐体）の開口付近に大きく張り出すため、固定物体（筐体）内に物品を搬出入する際に、この被掛け止め部材が障害となって物品の搬出入を慎重に行う必要があり、また誤って物品が被掛け止め部材に接触して物品を損傷する虞があった。
【０００６】
【特許文献１】特開２００９−１８３４２４号公報
【発明の開示】
【発明が解決しようとする課題】
【０００７】
本発明が解決しようとする課題は、ファスナーの締め付け状態で可動物体が固定物体に対して安定して固定する緩み防止手段を被掛け止め部材側ではなく、掛け止めアーム側に設けてファスナーが解放状態にあるとき、固定物体の開口付近に大きく張り出すことがなく、開口を通して行われる物品の搬出入を容易に行うことができるトグル式ファスナーを提供することにある。
【課題を解決するための手段】
【０００８】
本発明の課題解決手段は、相互に枢動自在に結合すべき固定物体と可動物体とのうち、可動物体に固定して取り付けられるべき固定台座と、前記固定台座に枢支されたトグルレバーと、前記トグルレバーに枢支された掛け止めアームと、前記固定物体に固定されるべきものであって前記可動物体と固定物体とを締め付ける際に前記掛け止めアームが掛け止められるべき被掛け止め部材と、前記可動物体と固定物体の締め付け状態で前記固定物体に対して可動物体の緩みを防止する緩み防止手段とを備えたトグル式ファスナーにおいて、前記緩み防止手段は、前記掛け止めアームに取り付けられた押圧部材から成り、前記押圧部材は、前記可動物体と固定物体の締め付け状態で前記可動物体に着座するようになっていることを特徴とするトグル式ファスナーを提供することにある。
【０００９】
本発明の課題解決手段において、前記押圧部材は、前記掛け止めアームに枢支され、前記被掛け止め部材に掛け止めすべき掛け止め部を有し、前記掛け止め部が前記被掛け止め部材に引っ掛けられた前記可動物体と固定物体の締め付け状態で前記可動物体に着座するようになっている形態とすることができる。
【００１０】
この場合、前記押圧部材は、前記掛け止めアームの天板に向けてばね付勢され、前記掛け止め部が前記被掛け止め部材に引っ掛けられた前記可動物体と固定物体の締め付け状態で前記ばね付勢に抗して前記可動物体に着座するようになっているものとすることができる。
【発明の効果】
【００１１】
本発明によれば、緩み防止手段は、従来技術とは異なって、被掛け止め部材側ではなく、掛け止めアーム側に設けられているので、ファスナーを解放した状態で可動物体を開くと、固定物体の開口側に緩み防止手段による張り出しがなく、被掛け止め部材は、掛け止めアームが引っ掛かる低く単純な形状のものでよく、従って固定物体の開口を通して物品の搬出入は、何らの障害もなく容易に行うことができる上に、物品を傷つけることがない。
【図面の簡単な説明】
【００１２】
【図１】本発明のトグル式ファスナーが取り付けられた筐体を示し、同図（Ａ）は、その開放状態の斜視図、同図（Ｂ）は、その可動物体（扉）を閉じて締め付けた状態の斜視図である。
【図２】本発明の１つの実施係形態によるトグル式ファスナーの上面図である。
【図３】図２のファスナーの側面図である。
【図４】図２のファスナーの正面図である。
【図５】図２のファスナーの背面図である。
【図６】図２のファスナーの６-６線断面図である。
【図７】図２のファスナーの７-７線断面図である。
【図８】図６と同じ断面であるが、ファスナーの締め付け途中の断面図である。
【図９】図２のファスナーの被掛け止め部材を除く部分の分解斜視図である。
【図１０】図１（Ａ）の状態から扉を閉じようとしている状態の水平面図である。
【図１１】図１０の状態から扉を閉めてファスナーの締め付け動作をする過程を同図（Ａ）乃至（Ｄ）で順次示す水平断面図である。
【発明を実施するための最良の形態】
【００１３】
本発明の好ましい実施の形態によるトグル式ファスナー１０の使用状態が図１に示されており、このトグル式ファスナー１０は、固定物体である筐体本体２とヒンジによってこの筐体本体２の開口２Ｋを閉じる可動物体としての扉３とから成る筐体１の閉じ状態に締め付けるのに用いられる。扉３は、図１（Ａ）、図６及び図８に示すように、筐体本体２の開口２Ｋの周面に内側に凹んで形成された受縁２Ｅに係合して閉じられるようになっている。
【００１４】
本発明のトグル式ファスナー１０は、可動物体である扉３の外面に固定して取り付けられるべき固定台座２０と、この固定台座２０に枢支されたトグルレバー３０と、このトグルレバー３０にその長手方向に変位することができるように枢支された掛け止めアーム４０とを含む可動物体側部分１０Ｍと、固定物体である筐体本体２の開口２Ｋ付近に固定されるべきものであって掛け止めアーム４０の掛け止め端が掛け止められる被掛け止め部材５０を含む固定物体側部分１０Ｓとから成っている。
【００１５】
また、ファスナー１０は、扉３を筐体本体２に閉じて締め付ける状態でトグルレバー３０を固定台座２０にロックするロック手段６０と、扉３と筐体本体２との締め付け状態で扉３を筐体本体２の受縁２Ｅに押し付けて安定して固定するように扉３の緩み（がたつき）を防止する緩み防止手段７０とを備えている。
【００１６】
固定台座２０は、図８、図９乃至図１１から解るように、止めねじ２６で扉３の外面に固定される基板２２とこの基板２２の前端の両側から立ち上がる１対の垂直片２４と基板２２の後端から立ち上がるロック片６４とを有している。ロック片６４は、後に述べるロック手段６０の一部を構成する（図７参照）。
【００１７】
トグルレバー３０は、図６、図８及び図９、特に図９から解るように、天板３２とこの天板３２の後部を除く部分の両側から垂下する１対の側片３４とから成り、このトグルレバー３０は、その１対の側片３４を固定台座２０の１対の垂直片２４に枢支ピン３６で枢支して固定台座２０に枢動自在に取り付けられている。トグルレバー３０の１対の側片３４から延びる上向きに湾曲した天板部分は、このトグルレバー３０を締め付け方向に手で枢動するのに用いられる摘み３２Ｋを構成している。
【００１８】
トグルレバー３０は、その内側に配置されたラッチ部材６２を含み、このラッチ部材６２は、固定台座２０のロック片６４と共に後に述べるロック手段６０を構成している。
【００１９】
掛け止めアーム４０は、図２、図３、図６乃至図９に示すように、上部連結片４２によって相互に連結された１対の側片４４から成り、この掛け止めアーム４０は、１対の側片４４の後端を枢支ピン４６によってトグルレバー３０の１対の側片３４に枢支されている。図６乃至図９から解るように、枢支ピン４６を支持するトグルレバー３０の１対の側片３４の支持孔３４Ｈは、トグルレバー３０の長手方向に長くなっており、従って掛け止めアーム４０の枢支部は、トグルレバー３０の長手方向に変位することができるが、その詳細は後述する。
【００２０】
掛け止めアーム４０は、その先端に、後に述べる緩み防止手段７０を介して取り付けられて固定物体側部分１０Ｓの被掛け止め部材５０に掛け止めされる掛け止めピン４８の形態の掛け止め部を有する。
【００２１】
被掛け止め部材５０は、固定物体である筐体本体２の開口２Ｋ付近に取り付けられるが、この被掛け止め部材５０は、図６、図８及び図１１に示すように、筐体本体2にねじ５６で固定された受け座５２の開口２Ｋ側の端部に掛け止めアーム４０の掛け止めピン４８が掛け止めされる鉤部５４を有する。
【００２２】
ロック手段６０は、既に述べたように、トグルレバー３０の内側に配置されたラッチ部材６２と固定台座２０に設けられたロック片６４とから成っている。ラッチ部材６２は、図９に示すように、天板６２Ｔによって連結された１対の側片６２Ｓから成り、このラッチ部材６２は、図７及び図９から解るように、これらの側片６２Ｓに設けられた長孔６２ＳＨに枢支ピン３６（トグルレバー３０を固定台座に枢支するピン）が貫通してトグルレバー３０に枢支され、１対の側片６２Ｓの先端に鉤部６２ＳＫを有する。また、ロック片６４は、ラッチ部材６２の１対の側片６２Ｓの鉤部６２ＳＫが噛み合う引っ掛け部６４Ｅを有していてラッチ部材６２鉤部６２ＳＫがロック片６４の引っ掛け部６４Ｅに噛み合うと、ラッチ部材６２及びこれと一体のトグルレバー３０が固定台座２０にロックされる。
【００２３】
ラッチ部材６２は、長孔６２ＳＨと枢支ピン３６との間の余裕隙間分だけ後退することができるようにロック片６４側にばね付勢するばね６６を有し、このばね６６は、ラッチ部材６２の天板６２Ｔから側片６２Ｓ間に垂下する第１のばね受け６６Ｕ１と枢支ピン３６が貫通してラッチ部材６２の１対の側片６２Ｓの間に取り付けられた第２のばね受け６６Ｕ２との間に配置され、ばね支持ねじ６６Ｓは、第２のばね受け６６Ｕ２にねじ込んでばね６６を貫通している。従って、ばね６６は、ばね支持ねじ６６Ｓによって１対の側片６２Ｓの間で拘束されている。
【００２４】
従って、ラッチ部材６２は、通常では、ばね６６によってロック片６４側に向けて付勢されてラッチ部材６２とロック片６４との噛み合いを維持されているが、このロックを外すために、ラッチ部材６２をばね６６に抗してロック片６４から後退させるために、ラッチ部材６２は、天板６２Ｔからロック片６４より大きく突出するように延びるロック解放片６２ＴＲを有する。
【００２５】
また、ばね支持ねじ６６Ｓは、トグルレバー３０の長い支持孔３４Ｈを貫通する枢支ピン３６にねじ込まれて、その先端が枢支ピン３６から突出している。ばね支持ねじ６６Ｓのこの突出端にはドライバー係合溝６６ＳＧを有する。このばね支持ねじ６６Ｓは、ドライバー係合溝６６ＳＧにドライバーを嵌めて左右に回転することによって枢支ピン４６の位置を変位することができる。これは、例えば、可動物体側部分１０Ｍと固定物体側部分１０Ｓとをそれぞれ扉３及び筐体本体２に取り付けた後、掛け止めアーム４０と被掛け止め部材５０との間の掛け止め位置関係が適正でなかった場合に、両者の位置関係を調節するのに好適である。
【００２６】
緩み防止手段７０は、掛け止めアーム４０の掛け止め端部付近に取り付けられた押圧部材７２から成り、この押圧部材７２は、図６乃至図９に示すように、底板７２Ｂから立ち上がる１対の側片７２Ｓを有し、この１対の側片７２Ｓを枢支ピン７４で掛け止めアーム４０の１対の側片４４に枢支して揺動自在に取り付けられている。掛け止めアーム４０を被掛け止め部材５０に掛け止めする掛け止めピン４８は、枢支ピン７４よりも下方で枢支ピン７２に対して着座面とは反対側の位置で押圧部材７２の両側片７２Ｓ間に固定されている。
【００２７】
押圧部材７２は、着座する面に可動物体である扉３を固定物体である筐体本体２の受縁２Ｅに押し付ける弾性係合片７２Ｒを有する。
【００２８】
ばね７６は、枢支ピン７４に巻き付けられていて、このばね７６の両端は、押圧部材７２の着座面側と掛け止めアーム４０の天板４２との間にそれぞれ係合しており、従って、このばね７６は、押圧部材７２が通常では掛け止めアーム４０の天板４２の内面に向けて枢支ピン７４を中心に角度付勢されている。従って、押圧部材７２は、このばね７６によって着座面から離れた位置に付勢されていることになる。
【００２９】
ファスナー１０を締め付けるために、押圧部材７２の掛け止めピン４８を被掛け止め部材５０に掛け止めし（図８参照）、トグルレバー３０の摘み３２Ｋを押し下げて締め付けると、掛け止めピン４８は、相対的に着座側とは反対側に押されることになるため、押圧部材７２は、掛け止めアーム４０と共に被掛け止め部材５０から離れる方向に枢支ピン７４を中心に枢動して弾性係合片７２Ｒが扉３の外面に着座し、扉３が筐体本体２の受縁２Ｅに押し付けられる。
【００３０】
本発明のトグル式ファスナーの動作過程が図１０及び図１１に示されている。図１（Ａ）に示すように、扉３が完全に開いて筐体本体２の開口２Ｋを通して物品を搬出入した後、この図１（Ａ）の状態から扉３を閉じる寸前の状態が図１０に示され、扉３が筐体本体２の開口２Ｋを完全に閉じた状態が図１１（Ａ）に示されている。
【００３１】
この図１１（Ａ）の状態から本発明のトグル式ファスナー１０を図１１（Ｂ）乃至図１１（Ｄ）の順に操作して扉３を筐体２に締め付ける。扉３を閉じると、図１１（Ａ）に示すように、ファスナー１０の可動物体側部分１０Ｍの掛け止めアーム４０の掛け止め端が固定物体側部分１０Ｓの被掛け止め部材５０の鉤部５４の上を通ってこの鉤部５４に引っ掛けることができる図１１（Ｂ）の位置まで移動することができる。
【００３２】
この図１１（Ｂ）の位置からトグルレバー３０の摘み３２Ｋを押し下げてトグルレバー３０を枢支ピン３６を中心に図１１の時計方向に枢動し、図１１（Ｄ）に示すように、トグルレバー３０を固定台座２０に重合するように折り畳む。このようにすると、図１１（Ｄ）から解るように、掛け止めアーム４０とトグルレバー３０とがほぼ一直線になってこの掛け止めアーム４０とトグルレバー３０とが被掛け止め部材５０と固定台座２０との間でトグル機能を有して扉３と筐体本体２とを相互に締め付ける。
【００３３】
トグルレバー３０が固定台座２０に折り畳まれると、ロック手段６０のラッチ部材６２の１対の鉤部６２ＳＫがその下方の曲面６２ＳＫＣに倣って固定台座２０に一体のロック片６４の１対の引っ掛け部６４Ｅに引っ掛かってトグルレバー３０が固定台座２０にロックされる。
【００３４】
一方、緩み防止手段７０の押圧部材７２は、図１０、図１１（Ａ）乃至図１１（Ｃ）のように、掛け止めピン４８が被掛け止め部材５０の鉤部５４に引っ掛かるまではばね７６によって掛け止めアーム４０の天板４２に衝合するまで枢支ピン７４を中心に図１１の反時計方向に付勢されて弾性係合片７２Ｒが上昇位置にある。しかし、図１１（Ｄ）に示すように、掛け止めアーム４０とトグルレバー３０とが締め付け位置に達するまで、掛け止めアーム４０の掛け止めピン４８が被掛け止め部材５０の鉤部５４に引っ掛けられて締め付けられると、掛け止めアーム４０が図１１の右方に引っ張られるため、押圧部材７２は、掛け止めピン４８の鉤部５４とは反対側に相対的に枢支ピン７４を中心に図１１の時計方向にばね付勢に抗して枢動し、図１１（Ｄ）に示すように、押圧部材７２の弾性係合片７２Ｒが扉３を筐体本体２の受縁２Ｅに押し付けて扉３の緩みを防止し、扉３を筐体本体２に安定状態に固定する。
【００３５】
扉３を開く際には、図１１（Ｄ）の位置でロック手段６０のロック解放片６２ＴＲを掛け止めアーム４０側に向けて押す。ロック解放片６２ＴＲを押すと、ばね６６を圧縮しつつラッチ部材６２が掛け止めアーム４０側に後退するため、その鉤部６２ＳＫがロック片６４の１対の引っ掛け部６４Ｅから外れるため、トグルレバー３０が固定台座２０から解放され、従ってトグルレバー３０の摘み３２ＳＫを操作してトグルレバー３０及び掛け止めアーム４０を図１１（Ｃ）、図１１（Ｂ）、図１１（Ａ）の順に変位して掛け止めピン４８を被掛け止め部材５０から解放することができる。このようにして、トグル式ファスナーを解放し、扉３を筐体本体２から開くことができる。
【００３６】
本発明のトグル式ファスナー１０においては、緩み防止手段７０は、従来技術のように被掛け止め部材５０側ではなく、掛け止めアーム４０側に設けられているので、図１０から解るように、ファスナー１０を解放した状態で扉３を開くと、筐体本体２の開口２Ｋ側に緩み防止手段７０による張り出しがなく、被掛け止め部材５０は、掛け止めアーム４０の掛け止めピン４８が引っ掛かる低く単純な形状のものでよく、従って物品の搬出入は、筐体本体２の開口２Ｋを通して何らの障害もなく容易に行うことができ、また物品を傷つけることがない。
【産業上の利用可能性】
【００３７】
本発明によれば、上記のように、緩み防止手段は、従来技術とは異なって、被掛け止め部材側ではなく、掛け止めアーム側に設けられているので、ファスナーを解放した状態で可動物体を開くと、固定物体の開口側に緩み防止手段による張り出しがなく、被掛け止め部材は、小さく単純な形状のものでよく、従って固定物体の開口を通して物品の搬出入は、何らの障害もなく容易に行うことができる上に、物品を傷つけることがなく、産業上の利用性が向上する。
【符号の説明】
【００３８】
１        筐体
２        筐体本体（固定物体）
２Ｋ      開口
２Ｅ      受縁
３        扉（可動物体）
１０        トグル式ファスナー
１０Ｍ      可動物体側部分
１０Ｓ      固定物体側部分
２０        固定台座
２２        基板
２４        １対の垂直片
２６        ねじ
３０        トグルレバー
３２        天板
３２Ｋ      摘み
３４        １対の側片
３４Ｈ      支持孔
３６        枢支ピン
４０        掛け止めアーム
４２        上部連結片
４４        １対の側片
４６        枢支ピン
４８        掛け止めピン
５０        被掛け止め部材
５２        受け座
５４        鉤部
５６        ねじ
６０        ロック手段
６２        ラッチ部材
６２Ｔ      天板
６２Ｓ      １対の側片
６２ＳＨ    長孔
６２ＳＫ    鉤部
６２ＳＫＣ  曲面
６２ＴＲ    ロック解放片
６４        ロック片
６４Ｅ      １対の引っ掛け部
６６        ばね
６６Ｕ１，６６Ｕ２  第１と第２のばね受け
６６Ｓ      ばね支持ねじ
６６ＳＧ    ドライバー係合溝
７０        緩み防止手段
７２        押圧部材
７２Ｂ      底板
７２Ｒ      弾性係合片
７２Ｓ      １対の側片
７４        枢支ピン
７６        ばね
【図１】
2014046064.tif 000003
【図２】
2014046064.tif 000004
【図３】
2014046064.tif 000005
【図４】
2014046064.tif 000006
【図５】
2014046064.tif 000007
【図６】
2014046064.tif 000008
【図７】
2014046064.tif 000009
【図８】
2014046064.tif 000010
【図９】
2014046064.tif 000011
【図１０】
2014046064.tif 000012
【図１１】
2014046064.tif 000013